(57)【特許請求の範囲】
【請求項１】
躯体開口部を開閉する引き戸式の戸体が閉鎖するときの衝撃吸収をするシリンダロッド式の衝撃緩衝装置を戸体側に設け、該衝撃緩衝装置のロッド先端部が躯体開口部の戸先側端部に配されたロッド受け金具に形成のロッド受け面部に当接して衝撃緩衝装置が収縮することで衝撃吸収するように構成するにあたり、ロッド受け金具には、戸体が全閉したときに、該戸体に配したストッパ片に当接して戸体の閉鎖側への移動規制をするためのストッパ受け部と、該戸体に設けた施錠具が係脱自在に係合して施錠するための錠受け部とが前記ロッド受け面部と共に一体形成されている引き戸。
【発明の詳細な説明】
【０００１】
【発明の属する技術分野】
本発明は、建物の出入り口として形成される開口部等を開閉するべく配される引き戸の技術分野に属するものである。
【０００２】
【従来の技術】
一般に、この種引き戸のなかには、躯体開口部上方に設けられたガイドレールを、戸体上部に設けたローラが吊持状に走行することで、開口部の開閉を行うようにした吊り戸式のものがある。このようなものにおいて、戸体を勢いよく閉鎖した場合、戸体は躯体に対して衝突状にぶつかり、騒音を出したり、戸体が破損してしまったりする惧れも考えられる。そこで、戸体と躯体とのあいだに衝撃緩衝装置を設けることが提唱されており、衝撃緩衝装置としては特開平８−１７７３０５号公報のようなものが知られている。このものでは、衝撃緩衝装置として伸長したロッドが制動状態で縮小するピストンシリンダ（エアシリンダ）が用いられており、該ピストンシリンダは躯体側に設けられ、戸体側に設けたロッド受け金具にロッド先端が当接するように構成されている。そして、ロッド先端部と戸体側に設けたロッド受け金具とのあいだを着脱自在に磁着されたものに構成して、戸体の開放に伴い伸長するロッドが制動状態で縮小することにより、戸体の閉鎖作動の衝撃緩衝をするように構成している。
【０００３】
【発明が解決しようとする課題】
ところで、前記従来の衝撃緩衝装置は躯体側に設けられる構成となっているが、躯体側にはこれとは別に戸体吊持用のレールが設けられ、該レールに戸体側のローラが走行する構成となっている。このため衝撃緩衝装置は、ローラやレールに干渉することがないようこれら部材の上方に配設され、この結果、躯体には開口部の上方に衝撃緩衝装置を配設するためのスペースを別途大きく確保する必要があり、間口高さが充分確保できない場所等では、このように構成される吊り戸を設けることができないという問題がある。
また、前記従来のものでは、躯体側の衝撃緩衝装置のロッドに当接するためのロッド受け金具を戸体側に設ける必要があるが、さらに、戸体と躯体とのあいだには、衝撃緩衝装置のロッドが完全に縮小する僅かに前の段階で戸体を全閉状態として衝撃緩衝装置を保護を計るべく、全閉状態となった戸体をこれ以上閉鎖方向に移動しないように規制するストッパ部材を設ける必要がある。また、戸体を躯体に施錠するための施錠装置も必要であり、前記従来のものでは、これら必要な部材がそれぞれ別個に戸体や躯体側に設けられており、部品点数が多く、取付け作業が面倒かつ煩雑になるという問題もあって、これらに本発明が解決すべき課題があった。
【０００４】
【課題を解決するための手段】
本発明は、上記の如き実情に鑑み、これらの課題を解決することを目的として創作されたものであって、躯体開口部を開閉する引き戸式の戸体が閉鎖するときの衝撃吸収をするシリンダロッド式の衝撃緩衝装置を戸体側に設け、該衝撃緩衝装置のロッド先端部が躯体開口部の戸先側端部に配されたロッド受け金具に形成のロッド受け面部に当接して衝撃緩衝装置が収縮することで衝撃吸収するように構成するにあたり、ロッド受け金具には、戸体が全閉したときに、該戸体に配したストッパ片に当接して戸体の閉鎖側への移動規制をするためのストッパ受け部と、該戸体に設けた施錠具が係脱自在に係合して施錠するための錠受け部とが前記ロッド受け面部と共に一体形成されている引き戸である。
そして、このようにすることにより、間口高さが小さくても開口部の大きな引き戸を建付けることができる。
【０００５】
【発明の実施の形態】
次に、本発明の実施の形態を図１〜図９の図面に基づいて説明する。
図面において、１は建物の開口部を開閉する自閉式吊り戸を構成する戸体であって、該戸体１は、後述するように躯体開口部の上部前面（屋外側面）に設けられる吊りレール２に吊持される状態で、開口部を閉鎖する閉鎖位置から、開口部の一側（戸尻側）の屋外側に位置して開口部を開放する開放位置に至るあいだを左右方向移動自在となるように構成されている。
【０００６】
３は前記吊りレール２を固定する躯体開口部の上枠となる上枠ブラケットであって、該上枠ブラケット３は躯体開口部他端側（戸先側端部）から開口部一側の上方に至る部位に亘って取付けられるよう長尺状に形成されており、躯体に沿うよう上下方向を向いた取付け面部３ａと、該取付け面部３ａ上縁部から前方（屋外側）に突出する上面部３ｂとを備えている。前記取付け面部３ａの下半部には前方に膨出する膨出部３ｃが折曲形成されており、該膨出部３ｃに吊りレール２や後述する他の必要部材が取付けられるように設定されている。さらに、前記取付け面３ａの左右両端部には、膨出部３ｃの上側に位置し、膨出部３ｃの上片を切欠く状態で上下方向に長い調整孔３ｄが開設され、これら調整孔３ｄのあいだに螺子止め用の貫通孔３ｅが複数開設されている。そして、上枠ブラケット３は、躯体に予め仮止めされた左右一対の螺子３ｆに調整孔３ｄを係止させることで仮保持され、この状態で調整孔３ｄを介して水平状態が正確に調整できるようになっており、該調整をしたうえで、螺子３ｆを確りと螺合すると共に、前記複数の貫通孔３ｅに螺子３ｇを螺合することで躯体に取付けられるように設定されている。
【０００７】
そして、前記膨出部３ｃに吊りレール２が左右方向に長く設けられるが、吊りレール２は側面視で略Ｌ字状に形成され、一方の側片２ａが膨出面３ｃに螺子２ｂを用いて固定され、前方に突出する他方の側片２ｃの先端縁部にレール本体２ｄが上方に突出する状態で一体形成されるが、吊りレール２は、一側ほど高位に位置するよう傾斜状に設けられている。ここで、吊りレール２は、上枠ブラケット膨出部３ｃの屋外側面に螺合しており、該螺合した螺子２ｂの屋内側突出端部は、膨出部３ｃを形成することで屋内側に形成された凹部内に位置するように設定され、しかして螺子２ｂの突出端部が躯体側に干渉してしまうことがないように配慮されている。因みに、膨出部３ｃには後述するように他の必要部材が複数取付けられるが、これらの取付け用螺子についても同様の配慮がなされるように設定されている。
【０００８】
さらに、上枠ブラケット３は躯体の屋外側面に直接的に取付けられ、この上枠ブラケット３に吊りレール２が配されることになるが、吊りレール２の屋内外位置を調整するには、上枠ブラケット３の躯体に対する取付け位置で調整することになる。そこで、本実施の形態では、上枠ブラケット３と躯体とのあいだの左右方向適宜複数箇所にスペーサ４を介装することで上枠ブラケット３（吊りレール２）の躯体からの突出位置調整ができるように設定されている。前記スペーサ４は、上枠ブラケット取付け面部３ａに沿う調整面部４ａと、該調整面部４ａの上端縁部から前方に突出する上片部４ｂとを備えて構成されている。そしてスペーサ４は、調整面部４ａの下半部に形成された凹穴４ｃが、上枠スペーサ取付け用の螺子３ｆまたは３ｇを跨ぐようにして上枠ブラケット３と躯体とのあいだに差し込むことで組付けられる設定となっている。
【０００９】
一方、５は戸体１上部の左右方向二箇所に位置して配される上下および屋内外方向の位置調整機能付のローラブラケットであって、これらローラブラケット５の屋内側面にそれぞれローラ６が回動自在に枢支されている。これらローラ６は外周面に凹溝部６ａがそれぞれ形成され、該凹溝部６ａを吊りレール本体２ｃに上側から係合させることで、戸体１が吊りレール２に吊持状に支持される設定となっている。そして、戸体１は、ローラ６が吊りレール本体２ｃを転動走行することで吊りレール４に沿って開閉移動を行うが、前述したように、吊りレール２は一側ほど高位置になるように傾斜しており、これによって戸体１は閉鎖方向には自動的に移動する所謂自閉式吊戸（引き戸）に構成されている。
【００１０】
７は本発明の衝撃吸収装置であるピストンシリンダであって、該ピストンシリンダ７は、戸体１の戸先側に配されたローラブラケット５の屋外側面に取付けられたシリンダブラケット８を介して戸体１側に取付けられている。前記ピストンシリンダ７は、伸縮ストロークＡが戸体１の開閉ストロークよりも短く設定され、シリンダ筒７ａからのシリンダロッド７ｂの伸長作動は非制動状態で行われるが、縮小作動（戸体１の閉鎖作動）においては制動状態となるように設定される所謂エアダンパに構成されている。そして、シリンダ筒７ａをシリンダブラケット８に対し、シリンダロッド７ｂが戸先側に伸長する状態で固定し、該シリンダブラケット８を戸先側のローラブラケット５に取付けることで、ピストンシリンダ７の取付けができるようになっている。このとき、ピストンシリンダ７は一側ほど高位に位置する、即ち、シリンダロッド７ｂ側が低位に位置するよう傾斜して固定される設定となっており、該傾斜角度は、前記吊りレール２の傾斜角度と同様に設定されている。
さらに、シリンダロッド７ｂの先端部７ｃには、ゴム材に被覆されたマグネットＭが止着されている。
【００１１】
これに対し、躯体側の上枠ブラケット３の戸先側端部の膨出部には、前記シリンダロッド７ｂの先端部に対向する状態でロッド受け金具９が配設されている。該ロッド受け金具９は、マグネットが配されたシリンダロッド先端部７ｃに着脱自在に磁着するべく金属製材料により形成されており、戸尻側を向いてシリンダロッド先端部７ｃに当接するロッド受け面部９ａと、屋内側を向いて上枠ブラケット膨出部３ｃに螺合される屋内側面部９ｂとを備えて構成されている。前記ロッド受け面部９ａは、シリンダロッド先端部７ｃに対向するべくロッド受け金具９の上半部屋外側位置に形成され、さらにシリンダロッド先端部７ｂが直交状に当接するよう僅かに上向きに傾斜する状態となっている。さらに、ロッド受け面部９ａには、シリンダロッド先端部７ｃ部に対して摩擦係数が小さく滑り面となるようシート材が貼着されているが、該シート材は、例えばポリテトラフルオロエチレン等のフッソ樹脂により表面加工を施した面の等が用いられている。
【００１２】
さらに、ロッド受け面部９ａの屋内側下部には、戸体１の上面部に近接対向するべくストッパ受け面部９ｃが延出して形成されており、該ストッパ受け面部９ｃには、戸体１の閉鎖位置への変位に伴い、戸体１上面部１ａから上方に突出配設されたストッパ片１０が当接するように設定されており、これによって、閉鎖位置の戸体１がこれ以上閉鎖側に移動するのが規制されるようになっており、しかしてロッド受け金具９が戸体１のストッパを兼用するように設定されている。
さらに、ロッド受け金具９には、前記ストッパ受け面部９ｃの下端縁から戸先側に向けて折曲された下面部９ｄが形成されており、該下面部９ｄが戸体１の上面部１ａの戸先側部位に近接対向するように設定されている。そしてこの下面部９ｄには、戸体１側に上下方向移動自在に配されたロッド状の施錠具１１の上端部が出没自在に嵌合する貫通孔（本発明の錠受け部）９ｅが開設されており、戸体１が閉鎖位置に位置した状態で戸体１に配された操作具１１ａを施錠操作した場合に、施錠具１１上端部が貫通孔９ｅに貫通、嵌合して施錠状態となるように設定されており、しかして、ロッド受け金具９が施錠装置を兼用するようになっている。
【００１３】
ところで、本実施の形態では、戸体１を自閉作動させるべく吊りレール２が傾斜状に配されており、戸体１の下端面は、開放するに従い床面とのあいだに大きな間隙が形成され、これとは逆に戸体１が閉鎖する場合では、閉鎖するに従い床面との間隙が小さくなる。このため、戸体１が全閉状態に近付いたとき、足の指等を挟まれる惧れがあり、このものでは、戸先側下端面に安全ブロック１２が配されている。この安全ブロック１２は、戸体１の戸先側端面１ｂに螺合される上下方向に長い支持部１２ａと、該支持部１２ａの下端部に固着され、戸体１の戸先側下面を覆蓋する弾性を有したゴム部１２ｂとが一体となった部品となっており、支持部１２ａを戸先側端面１ｂに螺着することで組込まれることで、組付け作業の簡略化がなされるようになっている。
さらに、戸体１の戸先側端面１ｂには指挟み防止用の戸先ゴム１３が上下方向一体に長く配されている。
【００１４】
また、戸体１の戸尻側上端部にはローラ部１４ａを備えたエンドストッパー１４が設けられる一方、上枠ブラケット膨出部３ｃの戸尻側端部にはローラ部１４ａを係脱自在に係合する弾性を有した係止片１５ａを備えた戸尻金具１５が配されている。そして、戸体１が開口部を全開した状態で、ローラ部１４ａが係止片１５ａにより係合される設定となっており、これによって、戸体１の全開状態の姿勢保持ができるように設定されている。
【００１５】
そして、戸体１は全閉している状態ではシリンダロッド先端部７ｃとロッド受け面部９ａとが磁着している状態となっており、この状態から、戸体１が開放作動されると、シリンダロッド７ｂが前記磁着力により伸長し、シリンダロッド７ｂが所定のストロークＡを伸長したとき、シリンダロッド先端部７ｃとロッド受け面部９ａとが離間し、そして、さらに戸体１の開放作動がなされると、シリンダロッド７ｂが伸長したままの状態で戸体１の開放作動がなされる。そして戸体１が全開状態となることに伴い、戸体１側のエンドストッパー１４のローラ部１４ａが上枠ブラケット３（躯体）側の戸尻金具１５の係止片１５ａを弾性変形させる状態で係合し、戸体１の開放姿勢を維持するように設定されている。
【００１６】
一方、戸体１を閉鎖操作する場合、戸体１を閉鎖側に引くことになるが、該引き操作は、ローラ部１４ａが係止片１５ａから脱出すに足るだけの作動をさせればよく、その後は吊りレール２が傾斜していることから戸体１は自動的な閉鎖がなされる。そして、全閉までのストロークがシリンダロッド７ｂ伸長ストロークＡに一致すると、シリンダロッド先端部７ｃがロッド受け金具７のロッド受け面部７ａに当接し、その後は、シリンダロッド７ｂの縮小時における制動を受けた状態で戸体１が閉鎖作動し、そして、ストッパ片１０がストッパ受け面部９ｃに当接することで全閉状態となるように設定されている。この状態で、操作具１１ａを操作して施錠具１１を上動させることで、施錠具１１先端部が貫通孔９ｅに係合し、戸体１を施錠状態にするように設定されている。
尚、１６は戸体１の下端部から下方に突出状に配された振れ止め体、１７は上枠ブラケット３の屋外側部位を覆蓋するフードであって、該フード１７は、上枠ブラケット３の左右両端部に配された縦枠材１７ａに一体形成された取付け片１７ｂに止着されている。因みに、縦枠材１７ａは、開口部の上方にのみ形成され、開口部にまで至ることはなく、戸体１は戸体１上部のストッパ片１０がロッド受け金具９のストッパ受け面部９ｃに当接することで全閉状態での移動規制がなされている。さらに、１８は戸体１の開閉作動に際して把持するためのハンドルである。
【００１７】
叙述の如く構成された本発明の実施の形態において、戸体１は傾斜状の吊りレール２に沿って移動し、特に閉鎖時には吊りレール２が傾斜状態となっているため自動的に移動するが、このとき、戸体１は全閉になる前の段階から衝撃吸収装置であるピストンシリンダ７の制動作動を受けて、静粛な閉鎖作動を行うことができる。そしてこの場合に、ピストンシリンダ７は、躯体側ではなく戸体１側に設けられるので、従来の吊りレール等各種部材が設けられる上枠ブラケットにピストンシリンダを配するもののように、ピストンシリンダが戸体側のローラと干渉しないようローラの上方に設けられるように開口部上方に大きなスペースを確保する必要がなく、開口部上方には吊りレール２の配設分の小さなスペースを確保すればよいことになって、僅かな間口スペースしかないようなところでも、吊り戸を設けることができる。
【００１８】
このように、本発明が実施されたものでは衝撃緩衝装置であるピストンシリンダ７が戸体１側に設けられているため、シリンダロッド７ｂを受けるロッド受け金具９は躯体側に設けることになるが、この場合に、ロッド受け金具９を戸先側端部に設けることで、戸体１側のストッパ片１０に当接するための部材であるストッパ受け面部位９ｃや、戸体１を施錠するための錠受け部となる貫通孔９ｅが形成されたものとすることができ、このようにすることによって、従来、躯体側にそれぞれ別個に設けられたストッパ受けや錠受け部をロッド受け金具９に兼用することができ、部品点数の削減、組付け工程数の低減、並びに組付け作業の簡略化が計れてコスト低下を招来できる。
【００１９】
尚、本発明は前記実施の形態に限定されることは勿論なく、前記第一の実施の形態のものは開口部に戸体が一枚設けられたものであるが、開口部に二枚の戸体１を戸先同志が互いに当接する状態で設けることもできる。
【図面の簡単な説明】
【図１】自閉式吊り戸の全体概略正面図である。
【図２】図１の一部省略側面図である。
【図３】図３（Ａ）、（Ｂ）はそれぞれ上枠ブラケット部位の一部省略正面図、図３（Ａ）の側面図である。
【図４】図４（Ａ）、（Ｂ）はそれぞれスペーサの正面図、スペーサの使用状態を説明する側面図である。
【図５】シリンダブラケットの正面図である。
【図６】図６（Ａ）、（Ｂ）、（Ｃ）はそれぞれピストンシリンダの平面図、正面図、側面図である。
【図７】図７（Ａ）、（Ｂ）、（Ｃ）、（Ｄ）、（Ｅ）はそれぞれロッド受け金具の正面図、側面図、背面図、平面図、底面図である。
【図８】図８（Ａ）、（Ｂ）、（Ｃ）安全ブロックの側面図、正面図、底面図である。
【図９】図９（Ａ）、（Ｂ）はそれぞれそれぞれ戸尻側部位の正面図、図９（Ａ）のＸ−Ｘ断面図である。
【符号の説明】
１    戸体
２    吊りレール
３    上枠ブラケット
３ｃ    膨出部
３ｓ    調整孔
４    スペーサ
５    ローラブラケット
６    ローラ
７    ピストンシリンダ
７ｂ    シリンダロッド
９    ロッド受け金具
９ａ    ロッド受け面部
９ｃ    ストッパ受け面部
９ｅ    貫通孔
１０    ストッパ片
１１    施錠具
１２    安全ブロック
１４    エンドストッパー
１５    戸尻金具
【図１】
0003755121.tif 000002
【図２】
0003755121.tif 000003
【図３】
0003755121.tif 000004
【図４】
0003755121.tif 000005
【図５】
0003755121.tif 000006
【図６】
0003755121.tif 000007
【図７】
0003755121.tif 000008
【図８】
0003755121.tif 000009
【図９】
0003755121.tif 000010